(57)【特許請求の範囲】
【請求項１】
屈曲した棒状体の前部分を上向きのイカ掛け棒とするとともに後部分を横向きの保持棒とし、イカ掛け棒には上部を後方に傾けて振り下ろしオモリを固着するともに、該振り下ろしオモリの直下に前向きで針先を下向きにイカ掛け針を固着し、保持棒には前下に保持棒軸受けを固着し、上端に保持棒支持輪と下端に伝達ラセン環と間にパイプ固着輪とを備えた伝達支柱とし、前に伝達オモリと後に伝達支柱に有するパイプ固着輪とを固着した伝達パイプに摺動自在に挿通した支持棒の前後を下向きに屈曲した前を前支柱とし下端に前ラセン環を備え、後を後支柱とし下端に後ラセン環を備え、支持棒の前上に支持棒軸受けを固着し、主オモリに固着した前後を屈曲し、更に、前ラセン環から後ラセン環へのラセン環径分をくの字に屈曲して避けたオモリ支柱の上端を、支持棒に挿通し後に作動分を残した伝達パイプの前で支持棒の下面に固着し、保持棒に有する保持棒軸受けと支持棒に有する支持棒軸受けとを軸で回動自在に結合することで、伝達ラセン環が後へ押され伝達パイプが後退し保持棒支持輪が支えていた保持棒の後から離脱し、軸を芯にイカ掛け棒と保持棒とが回動してイカ掛け針を振り下ろすことを特徴とするイカ掛け針を振り下ろすヤエン。
【請求項２】
請求項１記載のイカ掛け針を振り下ろすヤエンにおいて、支持棒に浮力体を固着して海中での重量を軽くすることを特徴とするイカ掛け針を振り下ろすヤエン。
【請求項３】
請求項１記載のイカ掛け針を振り下ろすヤエンにおいて、イカ掛け棒をイカ掛け先棒とイカ掛け元棒とに分割し、イカ掛け先棒の切り離し部に備えた支持輪に挿通し両端を突き出した折りたたみ軸を固着し、オメガ形のキャッチャーの内側をイカ掛け元棒の切り離し部で開口を後向きに固着し、Ｕ字形に屈曲した支え足の両端に向かい合う支え軸受けを備え、支え足の内側をイカ掛け元棒の屈曲部近傍で支え軸受けを後向きに固着し、イカ掛け元棒に有する支え軸受けにイカ掛け先棒に有する折りたたみ軸の両端を回動自在に嵌合することで、イカ掛け先棒の横回転を防ぎ、キャッチャーの弾性により挟んだイカ掛け先棒を外して、折りたたみ軸を芯にイカ掛け先棒が回動し折りたためることを特徴とするイカ掛け針を振り下ろすヤエン。
【発明の詳細な説明】
【技術分野】
【０００１】
本発明は、イカ掛け用ヤエンによるイカ釣りにおいて、イカを掛ける方法として、餌魚にイカが食い付くと釣糸に装着して投入滑降させ、釣糸に固定した玉に到達するとイカ掛け針を振り下ろして、餌魚の上に食い付いたイカが掛かるイカ掛け針を振り下ろすヤエンに関する。また、本発明は、釣糸に装着し滑降させるので、支持棒に浮力体を固着することで滑降を容易にし、更に、イカ掛け棒を折りたたむことで運搬をも容易にするイカ掛け針を振り下ろすヤエンに関する。
【背景技術】
【０００２】
出願人が所有するイカ掛け針が振り上がるイカ掛け用ヤエンは、餌魚にイカが食い付くと釣糸に装着して投入滑降させ、釣糸に固定した玉に到達するとイカ掛け針を振り上げてイカを掛けるが、餌魚の上に食い付いたイカを掛けることが困難である（例えば、特許文献１参照）。
【０００３】
この改善策として、餌魚の上に食い付いたイカが容易に掛かることを要求される。
【特許文献１】特開２００５−２６１４２９号公報
【発明の開示】
【発明が解決しようとする課題】
【０００４】
本発明は、上記従来技術の改善策を解決し、餌魚の上に食い付いたイカにはイカ掛け針を振り上げても掛けることが困難である。これは餌魚が障害となることに問題点がある。そこで、イカ掛け針を上から振り下ろすことで餌魚の前に食い付いたイカはもとより、餌魚の上に食い付いたイカが掛かるイカ掛け針を振り下ろすヤエンを提供することを課題とする。
【課題を解決するための手段】
【０００５】
本発明のイカ掛け針を振り下ろすヤエンは、上記目的を達成するために、餌魚の上に食い付いたイカを掛けるにはイカ掛け針を上から振り下ろすことが必要である。そこで、
屈曲した前で上向きのイカ掛け棒と後で横向きの保持棒とし、イカ掛け棒には上部に振り下ろしを助ける振り下ろしオモリと直下にイカ掛け針とを固着し、保持棒の前下には保持棒軸受けを固着する。上端に保持棒の後に保持離脱を自在にする保持棒支持輪と、下端に釣糸を装着する伝達ラセン環と、間にパイプ固着輪とを備えた伝達支柱とする。前に滑降中に後退を防ぐ伝達オモリと、後に伝達支柱に有するパイプ固着輪とを固着した伝達パイプに摺動自在に挿通した支持棒の前後を下向きに屈曲した支柱の下端に釣糸を装着するラセン環を備え、支持棒の前上に支持棒軸受けを固着する。釣糸に装着して投入滑降させたときの姿勢安定と滑降の働きをする主オモリを固着した前後を屈曲したオモリ支柱の上端を支持棒に挿通した伝達パイプの後に作動分を残して伝達パイプの前で支持棒の下面に固着する。保持棒に有する保持棒軸受けと支持棒に有する支持棒軸受けとを回動自在に軸で結合する。
【発明の効果】
【０００６】
本発明によれば、イカが餌魚に食い付くと釣糸に装着して投入滑降させ、釣糸に固定した玉に到達すると伝達ラセン環を押し伝達パイプを後退させ、保持棒の後を支えていた保持棒支持輪が離脱してイカ掛け針を振り下ろすことで餌魚の上に食い付いたイカも掛かり釣果率も上がり楽しい釣りになる。
【発明を実施するための最良の形態】
【０００７】
本発明は、餌魚にイカが食い付くと釣糸に装着して投入滑降させ、釣糸に固定した玉に到達するとイカ掛け針を振り下ろしてイカを掛けることができるイカ掛け針を振り下ろすヤエンで、それを図面について説明すれば、図１は、本発明のイカ掛け針を振り下ろすヤエンの形態を示す斜視図で、屈曲した前で上向きのイカ掛け棒１１と後で横向きの保持棒１２とし、イカ掛け棒１１には上部を後方に傾けて振り下ろしオモリ１５を、直下にイカ掛け針１３とを固着し、保持棒１２には前下に保持棒軸受け１４を固着し、上端に保持棒支持輪３２と下端に伝達ラセン環（ラセン環とは、線体をネジ状にし、釣糸の装着脱が自由にできる開放環）３４との間にパイプ固着輪３３とを備えた伝達支柱３１とし、前に伝達オモリ３６と後に伝達支柱３１に有するパイプ固着輪３３とを固着した伝達パイプ３５に摺動自在に挿通した支持棒２１の前後を屈曲した前を前支柱２２とし下端に前ラセン環２３を備え、後を後支柱２４とし下端に後ラセン環２５を備え、支持棒２１の前上に支持棒軸受け２８を固着し、主オモリ２７に固着した前後を屈曲し、更に、前ラセン環２３から後ラセン環２５へのラセン環径分をくの字に屈曲して避けたオモリ支柱２６の上端を、支持棒２１に挿通し後に作動分を残した伝達パイプ３５の前で支持棒２１の下面に固着し、保持棒１２に有する保持棒軸受け１４と支持棒２１に有する支持棒軸受け２８とを軸４１で回動自在に結合する。図２は、図１に示すイカ掛け針を振り下ろした一実施を示す概念図で、釣糸８１に玉８２を固定し結んだ針８３に刺して投入した餌魚９１にイカ９２が食い付くと、保持棒１２の後を保持棒支持輪３２で保持し、釣糸８１に前ラセン環２３と伝達ラセン環３４と後ラセン環２５との順に装着して投入すると、オモリ支柱２６に固着した主オモリ２７により姿勢を保ち滑降し、玉８２が前ラセン環２３を通り抜け伝達ラセン環３４を押して伝達パイプ３５を後退させることで、保持棒１２の後を支えていた保持棒支持輪３２が離脱し、軸４１を芯にイカ掛け棒１１と保持棒１２とが回動してイカ掛け針１３を振り下ろして餌魚９１の上に食い付いたイカ９２が掛かる。図３は、図１に示す支持棒に浮力体を固着した形態を示す斜視図で、支持棒２１に浮力体５１を固着することで海中での重量を軽くして滑降を容易にする。図４は、図１に示すイカ掛け棒が折りたためる形態を示す斜視図で、イカ掛け棒をイカ掛け先棒６１とイカ掛け元棒６５とに分割し、イカ掛け先棒６１の切り離し部に備えた支持輪６２に挿通し両端を突き出した折りたたみ軸６３を固着し、オメガ形のキャッチャー６６の内側をイカ掛け元棒６５の切り離し部で開口を後向きに固着し、Ｕ字形に屈曲した支え足６４の両端に向かい合う支え軸受け６７を備え、支え足６４の内側をイカ掛け元棒６５の屈曲部近傍で支え軸受け６７を後向きに固着し、イカ掛け元棒６５に有する支え軸受け６７にイカ掛け先棒６１に有する折りたたみ軸６３の両端を回動自在に嵌合することで、イカ掛け先棒６１の横回転を防ぎ、キャッチャー６６の弾性によりイカ掛け先棒６１を挟む。図５は、図４に示すイカ掛け先棒を折りたたんだ形態を示す斜視図で、キャッチャー６６からイカ掛け先棒６１を外すことで折りたたみ軸６３を芯にイカ掛け先棒６１が回動して折りたたむことで嵩が小さく運搬を楽にする。
【０００８】
こうすることで、釣果率が上がるイカ掛け針を振り下ろすヤエンである。なお、釣糸に装着する方法としてラセン環で説明したが、開閉自在なピンを有した係止具についても摘要でき、浮力体についてはイカ掛け棒を折りたたみする当該具にも摘要できる。
【図面の簡単な説明】
【０００９】
【図１】本発明のイカ掛け針を振り下ろすヤエンの形態を示す斜視図である。
【図２】図１に示すイカ掛け針を振り下ろした一実施を示す概念図である。
【図３】図１に示す支持棒に浮力体を固着した形態を示す斜視図である。
【図４】図１に示すイカ掛け棒が折りたためる形態を示す斜視図である。
【図５】図４に示すイカ掛け先棒を折りたたんだ形態を示す斜視図である。
【符号の説明】
【００１０】
１１    イカ掛け棒
１２    保持棒
１３    イカ掛け針
１４    保持棒軸受け
１５    振り下ろしオモリ
２１    支持棒
２２    前支柱
２３    前ラセン環
２４    後支柱
２５    後ラセン環
２６    オモリ支柱
２７    主オモリ
２８    支持棒軸受け
３１    伝達支柱
３２    保持棒支持輪
３３    パイプ固着輪
３４    伝達ラセン環
３５    伝達パイプ
３６    伝達オモリ
４１    軸
５１    浮力体
６１    イカ掛け先棒
６２    支持輪
６３    折りたたみ軸
６４    支え足
６５    イカ掛け元棒
６６    キャッチャー
６７    支え軸受け
８１    釣糸
８２    玉
８３    針
９１    餌魚
９２    イカ
【要約】
【課題】  イカ掛け用ヤエンによるイカ釣りにおいて、餌魚の上に食い付いたイカも掛かることを可能にした。
【解決手段】  針８３に刺して投入した餌魚９１にイカ９２が食い付き、保持棒１２の後を保持棒支持輪３２で保持し、釣糸８１に前ラセン環２３と伝達ラセン環３４と後ラセン環２５の順に装着して投入し、オモリ支柱２６に固着した主オモリ２７により姿勢を保ち滑降し、釣糸８１に固定した玉８２が前ラセン環２３を通り抜け伝達ラセン環３４を押し伝達支柱３１に備えたパイプ固着輪３３で固着した伝達パイプ３５が後退し、保持棒１２から保持棒支持輪３２が離脱し、保持棒軸受け１４と支持棒軸受け２８とが回動自在に結合した軸４１を芯に、振り下ろしオモリ１５によりイカ掛け針１３を固着したイカ掛け棒１１と保持棒１２とが回動して餌魚９１の上に食い付いたイカ９２をも掛けるイカ掛け針を振り下ろすヤエンである。
【選択図】  図２【図１】
0004174781.tif 000002
【図２】
0004174781.tif 000003
【図３】
0004174781.tif 000004
【図４】
0004174781.tif 000005
【図５】
0004174781.tif 000006